(57)【要約】 【課題】  簡単な構成でピックアップ装置の位置検出が容易なディスク装置を提供する。【解決手段】  ピックアップ２４２を動作制御するために各種電気信号や電力を供給するためのフレキシブルプリント基板２４３を、導電パターン２４３Ｂと同材質で導電パターン２４３Ｂとともに所定の領域に被検出部２４３Ｃを印刷形成し、合成樹脂シート２４３Ａにて挾持する積層構造に形成する。フレキシブルプリント基板２４３を被検出部２４３Ｃが外面に臨む状態にピックアップベース２４１に配設する。ピックアップ装置２４０が最外周位置に移動した際に被検出部２４３Ｃを検出する光センサを、制御回路部を搭載する回路基板に設ける。位置検出専用の部材が不要となる。【選択図】 図３
2006164320.tif 000002
【特許請求の範囲】
【請求項１】
電力の供給により被処理物を処理する処理部を搭載し移動手段にて移動される基台をシャーシに配設した処理装置に設けられ、前記基台の位置を検出する検出装置であって、
前記基台に設けられ、前記電力を前記処理部へ供給する導電パターンおよびこの導電パターンの形成時に同材質にて所定の領域で形成された被検出部を備えたプリント基板と、
前記シャーシに設けられ、前記基台が所定の位置で前記プリント基板の被検出部を検出する検出部と、
を具備したことを特徴とした検出装置。
【請求項２】
被処理物を処理する処理部を搭載し移動手段にて移動される基台をシャーシに配設した処理装置に設けられ、前記基台の位置を検出する検出装置であって、
前記シャーシに配設され、導電パターンおよびこの導電パターンの形成時に同材質にて所定の領域で形成された被検出部を備え、前記処理部を制御する制御回路が搭載されたプリント基板と、
前記基台に設けられ、前記基台が所定の位置で前記プリント基板の被検出部を検出する検出部と、
を具備したことを特徴とした検出装置。
【請求項３】
請求項１または請求項２に記載の検出装置であって、
前記プリント基板は、可撓性を有した樹脂フィルムに前記導電パターンおよび前記被検出部が印刷されて形成された
ことを特徴とした検出装置。
【請求項４】
請求項１ないし請求項３のいずれかに記載の検出装置であって、
前記導電パターンおよび前記被検出部は、光反射特性を有する金属材料にて形成され、
前記検出部は、光センサを備えた
ことを特徴とした検出装置。
【請求項５】
請求項１ないし請求項４のいずれかに記載の検出装置であって、
前記被検出部は、導電性の金属材料により表面が略平滑に形成され、
前記検出部は、光センサを備えた
ことを特徴とした検出装置。
【請求項６】
請求項１ないし請求項５のいずれかに記載の検出装置であって、
前記プリント基板は、少なくとも前記被検出部の表面が透光性の部材にて被覆された
ことを特徴とした検出装置。
【請求項７】
請求項１ないし請求項３のいずれかに記載の検出装置であって、
前記導電パターンおよび前記被検出部は、磁性材料を含有する金属材料にて形成され、
前記検出部は、磁気センサを備えた
ことを特徴とした検出装置。
【請求項８】
請求項１ないし請求項７のいずれかに記載の検出装置であって、
前記被検出部は、前記導電パターンの一部である
ことを特徴とした検出装置。
【請求項９】
シャーシに配設され、電力の供給により被処理物を処理する処理部を搭載する基台と、
この基台を移動させる移動手段と、
請求項１ないし請求項８のいずれかに記載の検出装置と、
を具備したことを特徴とした搬送装置。
【発明の詳細な説明】
【技術分野】
【０００１】
本発明は、電力の供給により被処理物を処理する処理部を搭載し移動手段にて移動される基台の位置を検出する検出装置および搬送装置に関する。
【背景技術】
【０００２】
従来、例えばＣＤ（Compact Disc）やＤＶＤ（Digital Versatile Disc）などのディスク状記録媒体の記録面に記録された情報を読み取る読取処理や記録面に情報を記録する記録処理を実施するディスク装置として、ディスク状記録媒体をシャーシにおける所定の処理位置まで搬送する構成が知られている。このようなディスク装置として、ディスク状記録媒体を処理位置まで搬入する際、処理時にディスク状記録媒体を回転させるために軸支する軸支部が、搬入されるディスク状記録媒体に接触しないように処理時の位置から後退し、所定の位置まで搬入された時点で、軸支部を処理時の位置に移動させてディスク状記録媒体を軸支する構成が採られることがある。このような構成のディスク装置として、図１に示すように、ディスク状記録媒体を軸支する軸支部１１と、軸支されたディスク状記録媒体を適宜移動して処理するピックアップ装置１２とをフレーム１３に一体的に組み付けられたディスク処理部１０を備えている。
【０００３】
この図１に示す従来の構成では、ディスク処理部１０の軸支部１１側が回動し軸支部１１を後退あるいは軸支する状態に、ディスク処理部１０をシャーシに回動可能に配設している。この図１に示すディスク処理部１０を回動させる構成では、ピックアップ装置１２が回動側に位置すると、軸支部１１が後退する状態にディスク処理部１０を回動させた際、ピックアップ装置１２がシャーシに当接し、シャーシの良好な回動状態が得られない、さらにはピックアップ装置１２を損傷するなどのおそれがある。このことにより、図１に示すようなディスク処理部１０を回動させる構成では、ピックアップ装置１２を回動基端側に移動させて待避させてからディスク処理部１０を回動させている。また、ディスク状記録媒体の所定の位置に記述された情報を処理するために、ピックアップ装置１２がどこに位置するのかを認識する必要がある。このため、ピックアップ装置１２を所定の位置まで移動させ、その位置を検出して基準位置と設定している。これらのように、ピックアップ装置１２の位置を認識するために、図１に示すような反射板１５などをピックアップ装置１２に設けるとともに、フレーム１３に配設した光センサ１６にて反射板１５を検出し、ピックアップ装置１２の位置を検出する構成が採られている。
【発明の開示】
【発明が解決しようとする課題】
【０００４】
しかしながら、図１に示すような光センサ１６などを利用する従来の構成では、反射板１５をピックアップ装置１２の所定の位置に設けるため、製造性の向上が図れない、あるいはピックアップ装置１２が大型化するなどの不都合が生じるおそれがある問題が一例として挙げられる。
【０００５】
本発明は、上述したような点などに鑑みて、簡単な構成で位置検出が容易な検出装置および搬送装置を提供することを１つの目的とする。
【課題を解決するための手段】
【０００６】
請求項１に記載の発明は、電力の供給により被処理物を処理する処理部を搭載し移動手段にて移動される基台をシャーシに配設した処理装置に設けられ、前記基台の位置を検出する検出装置であって、前記基台に設けられ、前記電力を前記処理部へ供給する導電パターンおよびこの導電パターンの形成時に同材質にて所定の領域で形成された被検出部を備えたプリント基板と、前記シャーシに設けられ、前記基台が所定の位置で前記プリント基板の被検出部を検出する検出部と、を具備したことを特徴とした検出装置である。
【０００７】
請求項２に記載の発明は、被処理物を処理する処理部を搭載し移動手段にて移動される基台をシャーシに配設した処理装置に設けられ、前記基台の位置を検出する検出装置であって、前記シャーシに配設され、導電パターンおよびこの導電パターンの形成時に同材質にて所定の領域で形成された被検出部を備え、前記処理部を制御する制御回路が搭載されたプリント基板と、前記基台に設けられ、前記基台が所定の位置で前記プリント基板の被検出部を検出する検出部と、を具備したことを特徴とした検出装置である。
【０００８】
請求項９に記載の発明は、シャーシに配設され、電力の供給により被処理物を処理する処理部を搭載する基台と、この基台を移動させる移動手段と、請求項１ないし請求項８のいずれかに記載の検出装置と、を具備したことを特徴とした搬送装置である。
【発明を実施するための最良の形態】
【０００９】
〔ディスク装置の構成〕
以下、本発明の第１の実施の形態を図面に基づいて説明する。本実施の形態では、ディスク状記録媒体として光ディスクに情報を記録および読み出すいわゆるスロットインタイプのディスク装置を例示して説明するが、例えばディスク状記録媒体を搬送するトレイを備えた構成など、いずれの構成のディスク装置をも対象とすることができる。また、ディスク装置は、読取処理あるいは記録処理の一方のみを実施する構成としてもよい。さらに、ディスク状記録媒体としては、光ディスクに限らず、磁気ディスク、光磁気ディスクなどのいずれのディスク状の記録媒体を対象とすることができる。また、ディスク状の記録媒体に限らず、例えば記録面が外周面に設けられた筒状の記録媒体や、テープ状の記録媒体など、いずれの記録媒体を対象とすることができる。さらには、情報を読み取りあるいは記録する情報を処理する処理装置に限らず、例えば切削装置や塗料を塗布する塗装装置などの表面処理装置など、被処理物に対して各種処理を実施する処理部を備えたいずれの処理装置に、処理部を比較的に高精度に移動させる搬送装置として適用させるなどしてもよい。図２は、本実施の形態に係るディスク装置の概略構成を示す一部を切り欠いた平面図である。図３は、ディスク処理部を示す底面図である。図４は、フレキシブルプリント基板の断面図である。図５は、ピックアップ装置が最外周位置の直前に位置して光センサが被検出部を検出する状態を示す説明図である。図６は、ピックアップ装置が最外周位置に位置せず光センサが被検出部を検出できない状態を示す説明図である。
【００１０】
図２において、１００はディスク装置で、このディスク装置１００は、例えば携帯型のパーソナルコンピュータなどの電気機器に装着されるいわゆる薄型のスロットインタイプである。このディスク装置１００は、着脱可能に装着されるディスク状記録媒体としての円板状の光ディスクＸにおける少なくとも一面に設けられた図示しない記録面に記録された情報を読み出す情報処理である読取処理および記録面へ各種情報を記録する情報処理である記録処理をする。そして、ディスク装置１００は、例えば金属製で内部空間を有するシャーシとしての略箱形状のケース体１１０を有している。このケース体１１０には、一側面に例えば合成樹脂にて細長板状に形成された化粧板１１１が設けられている。この化粧板１１１には、長手方向に沿ってスリット状に設けられた図示しない開口部が設けられている。また、ケース体１１０内には、いわゆるトラバースメカと称されるディスク処理部２００と、図示しない搬送手段と、駆動部３００と、制御回路である図示しない制御回路部と、が配設されている。
【００１１】
ディスク処理部２００は、光ディスクＸの処理、すなわち光ディスクＸの記録面に対して読取処理および記録処理を実施する。このディスク処理部２００は、駆動部３００により回動可能にケース体１１０内に配設されている。そして、ディスク処理部２００は、台座部２１０と、ディスク回転駆動手段２２０と、移動処理手段２３０と、処理部としてのピックアップ装置２４０と、などを備えている。
【００１２】
台座部２１０は、例えば図２および図３に示すように、例えば金属板にて平面視で扁平八角形状に形成されている。また、台座部２１０は、略中央に切欠部２１１が設けられ長手枠状に形成されている。そして、台座部２１０は、長手方向の一端側が軸方向に沿って回動可能に、長手方向の他端側がケース体１１０に軸支されてケース体１１０内に配設されている。
【００１３】
ディスク回転駆動手段２２０は、光ディスクＸを着脱可能に軸支して回転させる。このディスク回転駆動手段２２０は、回転用電動モータ２２１と、ターンテーブル２２２と、などを備えている。回転用電動モータ２２１は、例えばスピンドルモータで、台座部２１０の長手方向における回動側である一端側に配設されている。そして、回転用電動モータ２２１は、制御回路部に制御されて駆動する。ターンテーブル２２２は、回転用電動モータ２２１の出力軸に一体的に設けられ、光ディスクＸを着脱可能に軸支し、回転用電動モータ２２１の回転駆動により回転し、光ディスクＸを回転させる。
【００１４】
移動処理手段２３０は、台座部２１０に配設され、ピックアップ装置２４０を台座部２１０の長手方向で移動させる。この移動処理手段２３０は、一対のガイドシャフト２３１と、移動用電動モータ２３２と、リードスクリュ２３３と、などを備えている。ガイドシャフト２３１は、例えば金属製の細長棒状に形成され、軸方向が台座部２１０の長手方向に略沿う状態でそれぞれ略平行に台座部２１０に配設されている。移動用電動モータ２３２は、例えばステッピングモータで、制御回路部に制御されて駆動する。リードスクリュ２３３は、例えば金属製の細長棒状で、外周面に螺旋状の係合溝２３３Ａが設けられている。このリードスクリュ２３３は、移動用電動モータ２３２の図示しない出力軸に連結されてガイドシャフト２３１に近接して略平行に配設され、リードスクリュ２３３は、移動用電動モータ２３２の駆動により回転する。
【００１５】
ピックアップ装置２４０は、光ディスクＸに対する読取処理および記録処理を実施するための装置で、ガイドシャフト２３１に移動可能に軸支されている。このピックアップ装置２４０は、基台としてのピックアップベース２４１と、このピックアップベースに搭載される処理部としてのピックアップ２４２と、を備えている。ピックアップベース２４１は、例えばアルミニウム合金などにて形成され、一対のガイドシャフト２３１間に架橋する状態に移動可能に支持される。このピックアップベース２４１にはリードスクリュ２３３に係合する移動規制爪部２４１Ａが設けている。そして、ピックアップベース２４１は、移動用電動モータ２３２の駆動によりリードスクリュ２３３が回転することで、ガイドシャフト２３１を移動する。ピックアップ２４２は、制御回路部に送受信可能に接続され、制御回路部の制御により電力が適宜供給され、光ディスクＸの記録面に記録された各種情報を読み取る読取処理や、制御回路部からの各種情報を記録面に記録する記録処理を実施する。このピックアップ２４２は、図示しない光源と、対物レンズ２４２Ａを含む各種レンズ群と、図示しない光センサと、などを備えている。
【００１６】
また、ピックアップ装置２４０には、ピックアップ２４２を動作制御するために各種電気信号や電力を供給するためのフレキシブルプリント基板２４３が設けられている。このフレキシブルプリント基板２４３は、図３および図４に示すように、例えば絶縁性で透光性および可撓性を有した樹脂フィルムである合成樹脂シート２４３Ａに、導電パターン２４３Ｂが適宜パターン形成されているとともに、合成樹脂シート２４３Ａの所定の位置に所定の領域である略四角形状に被検出部２４３Ｃが形成されている。すなわち、フレキシブルプリント基板２４３は、図３に示すように、ピックアップ装置２４０に配設された状態で、ピックアップ装置２４０における対物レンズ２４２Ａが臨む面と反対側の外面である裏面に臨む位置に被検出部２４３Ｃが位置する状態にパターン印刷形成されている。これら導電パターン２４３Ｂおよび被検出部２４３Ｃは、光反射特性を有する金属材料である例えば銅などの導電材料にて一動作で表面が略平滑となる状態に印刷形成され、合成樹脂シート２４３Ａにて表面が被覆、すなわち図４に示すように、合成樹脂シート２４３Ａ間に挾持される層状にフレキシブルプリント基板２４３が形成されている。なお、被検出部２４３Ｃは、導電パターン２４３Ｂから独立して印刷形成したり、導電パターン２４３Ｂの一部を所定の領域となる状態に印刷形成したりしてもよい。
【００１７】
搬送手段は、光ディスクＸをケース体１１０内外へ搬送する。この搬送手段は、複数の図示しないアームを備えている。各アームは、細長板状に適宜形成され、それぞれ長手方向の一端部がケース体１１０に回動可能に軸支され、他端部が光ディスクＸの周縁に当接可能となっている。そして、各アームは、制御回路部の制御により回動し、長手方向の各他端部を光ディスクＸの周縁に適宜当接させ、開口部を介してケース体１１０内へ光ディスクＸを記録面に沿って搬入あるいはケース体１１０外へ搬出する。
【００１８】
駆動部３００は、制御回路部からの制御によりディスク処理部２００を適宜回動させる。この駆動部３００は、ケース体１１０に配設され制御回路部に動作制御される図示しないモータと、このモータの駆動により移動する移動カム３１０と、を備えている。移動カム３１０は、台座部２１０に係合するとともにモータに係合し、モータの駆動により移動されて台座部２１０を回動させる。この台座部２１０の回動は、搬送手段により光ディスクＸが搬送される移動経路上に、ターンテーブル２２２が進退する状態である。具体的には、ターンテーブル２２２が光ディスクＸの移動経路上に進出する進出位置と、ターンテーブル２２２が光ディスクＸの移動経路上から後退して待避する後退状態との位置間で回動させる。
【００１９】
制御回路部は、例えば各種電気部品が搭載された複数の回路基板４１０上に構成され、ディスク装置１００全体の動作を制御する。すなわち、制御回路部は、上述したように、搬送手段のアームを回動させて光ディスクＸをケース体１１０内外へ搬送する処理、駆動部３００を制御して光ディスクＸの搬送状況に対応してディスク処理部２００を回動させる処理、ディスク回転駆動手段２２０を制御して光ディスクＸを適宜回転させる処理、移動処理手段２３０を制御してピックアップ装置２４０を適宜移動させる処理、ピックアップ２４２の制御による光ディスクＸの処理、などを実施する。
【００２０】
また、制御回路部を構成する回路基板４１０であって、ピックアップ装置２４０の裏面側に対向するケース体１１０の面に臨んで配設される回路基板４１０には、図２に示すように、検出部としての光センサ４２０が配設されている。この光センサ４２０は、光を出射する図示しない発光部と、反射された光を受光する図示しない受光部と、を備え、受光部にて反射された光を受光することにより、制御回路部へ所定の信号を出力する。そして、光センサ４２０は、図２および図３に示すように、台座部２１０の長手方向で最も回動基端側である光ディスクＸに対して外周側に対応する最外周位置にピックアップ装置２４０が移動された状態で、ピックアップ装置２４０のフレキシブルプリント基板２４３の被検出部２４３Ｃが対向する位置に設けられている。すなわち、光センサ４２０は、ピックアップ装置２４０が最外周位置の直前で、図５に示すようにフレキシブルプリント基板２４３の被検出部２４３Ｃの一縁が対向して被検出部２４３Ｃを検出可能で、ピックアップ装置２４０が最外周位置およびその直前に位置しない状態では、図６に示すように被検出部２４３Ｃが対向せず検出できない位置に配設されている。この光センサ４２０とフレキシブルプリント基板２４３とにより本発明の検出装置が構成され、この検出装置と移動処理手段２３０とピックアップベース２４１とにより本発明の搬送装置が構成される。
【００２１】
〔ディスク装置の動作〕
次に、上記実施の形態におけるディスク装置１００の動作を説明する。
【００２２】
まず、電気機器の電源の投入により、ディスク装置１００に電力が供給される。この電力の供給により、制御回路部は搬送手段のアームの回動状態に基づいてディスク処理部２００の回動状態を認識する。例えば、アームの回動状態によりオンオフする図示しない検知スイッチがオフしている場合には、アームが待機状態であると判断し、ディスク処理部２００が進出位置と判断し、光ディスクＸが挿入されて搬入完了位置に位置すると判断する。一方、検知スイッチがオンしている場合には、アームの先端が開口部側へ回動していると判断し、ディスク処理部２００が後退位置と判断し、光ディスクＸが装填されていない光ディスクＸの挿入待機状態と判断する。そして、制御回路部は、電気機器の動作を制御する回路へ光ディスクＸが挿入されているか否かに関する信号を出力する。
【００２３】
そして、光ディスクＸの挿入待機状態で光ディスクＸが開口部から挿入されると、光ディスクＸの周縁がアームの端部に当接する。この状態でさらに光ディスクＸが押し込まれると、アームが付勢に抗して外側へ回動される状態に押し出される。そして、光ディスクＸがある程度まで押し込まれると、アームが光ディスクＸの周縁を乗り越える状態となり、再びアームが内方に回動する状態に付勢力が作用し、この付勢力により光ディスクＸが挿入完了位置へ搬入される。
【００２４】
さらに、光ディスクＸが搬入完了位置の直前まで搬入されると、検知スイッチがオフする。そして、制御回路部は、この検知スイッチのオフを認識すると、駆動部３００のモータを駆動させて移動カム３１０を移動させてディスク処理部２００を進出位置へ回動させる処理を開始する。そして、光ディスクＸが搬入完了位置まで搬入されると、搬送手段のアームが待機位置となって光ディスクＸの移動が規制される。さらに、搬入完了位置に光ディスクＸが位置することにより、駆動部３００にて回動されているディスク処理部２００におけるターンテーブル２２２が光ディスクＸを軸支する。
【００２５】
この後、制御回路部は、検知スイッチのオフにより、光ディスクＸが搬入完了位置まで搬入されてディスク処理部２００が進出位置となって光ディスクＸを軸支している状態と判断し、ピックアップ装置２４０の位置を認識する初期化処理を適宜実施させる。そして、光ディスクＸの記録面に記録された各種情報を読み取る読取処理や記録面へ各種情報を記録する記録処理などの情報処理の要求に基づいて、制御回路部は回転用電動モータ２２１、移動用電動モータ２３２およびピックアップ２４２の動作を適宜制御し、情報処理を実施する。
【００２６】
一方、例えば光ディスクＸの排出を要求するイジェクトボタンなどの操作や電気機器からの排出を要求する要求信号を制御回路部が認識すると、制御回路部は移動処理手段２３０の移動用電動モータ２３２の駆動を制御して、ピックアップ装置２４０がディスク処理部２００の回動基端側である最外周位置に位置する状態に移動させる。そして、ピックアップ装置２４０が最外周位置の直前まで移動されると、図５に示すように、光センサ４２０の上方にピックアップ装置２４０のフレキシブルプリント基板２４３の被検出部２４３Ｃが位置し、被検出部２４３Ｃを検出する。この状態で光センサ４２０から出力される所定の信号に基づいて、制御回路部はピックアップ装置２４０が最外周位置に移動されたことを認識する。この後、制御回路部は、駆動部３００のモータを駆動させて移動カム３１０を移動させ、ディスク処理部２００を後退位置へ回動させる。このディスク処理部２００の回動により、ターンテーブル２２２が光ディスクＸから外れ、軸支状態が解除される。そして、このディスク処理部２００の回動後、制御回路部は、搬送手段を制御し、アームを回動させて光ディスクＸを押し出して開口部から排出させる。なお、この排出される状態は、例えば完全に排出されずに光ディスクＸの一部が開口部内に位置して落脱しない状態で支持される。
【００２７】
〔ディスク装置の作用効果〕
上述したように、上記実施の形態では、光ディスクＸを情報処理するピックアップ２４２を搭載し移動処理手段２３０にて移動されるピックアップベース２４１に、ピックアップ２４２に電力を供給する導電パターン２４３Ｂと、導電パターン２４３Ｂの形成時に同材質にて所定の領域で形成した被検出部２４３Ｃとを備えたフレキシブルプリント基板２４３を設ける。そして、ピックアップベース２４１が移動処理手段２３０により所定の位置である最外周位置に移動された際に、フレキシブルプリント基板２４３の被検出部２４３Ｃを検出する光センサ４２０をケース体１１０に配設している。このため、例えばピックアップ装置２４０に反射特性の優れた反射テープを取り付けたり、ピックアップベース２４１に図１に示すような反射板１５を設けたりするなど、位置検出専用の部材を設ける必要がなく、ピックアップ２４２を動作制御するためのフレキシブルプリント基板２４３を利用でき、ピックアップ装置２４０の構造の簡略化や小型軽量化、さらには製造性の向上などが容易に得られる。さらには、ピックアップ装置２４０の小型化により、ディスク装置１００の小型化も容易に図れる。特に、移動処理手段２３０によりピックアップ２４２を搭載するピックアップベース２４１を移動させる構成に適用しているので、ピックアップベース２４１の位置検出が簡単な構成で確実にでき、ピックアップ２４２の適切な位置認識が容易にできる。さらには、光ディスクＸを情報処理するピックアップ装置２４０の位置検出のための構成に適用しているため、ピックアップ２４２の確実な位置認識による適切な情報処理が得られる。
【００２８】
そして、光センサ４２０がピックアップ装置２４０の位置検出するための被検出部２４３Ｃを、可撓性を有した合成樹脂シート２４３Ａに導電パターン２４３Ｂを備えピックアップベース２４１に巻き付けるように適宜取り付けられる可撓性を有するフレキシブルプリント基板２４３に、導電パターン２４３Ｂとともに印刷形成している。このため、フレキシブルプリント基板２４３を形成する際の導電パターン２４３Ｂを印刷形成する際に合わせて被検出部２４３Ｃを印刷形成すればよく、製造性の低下を生じず、容易に被検出部２４３Ｃを設けることができる。
【００２９】
また、フレキシブルプリント基板２４３は導電パターン２４３Ｂが銅などの導電材料にて形成されるので、導電パターン２４３Ｂの印刷形成時に所定の領域で形成することで反射特性を有する表面が略平滑な被検出部２４３Ｃが形成される。このため、光センサ４２０により良好にピックアップ装置２４０の位置を検出できるとともに、この位置検出の構成が容易に得られる。さらに、印刷形成により表面が比較的に平滑に形成でき、良好な反射特性および位置検出できる被検出部２４３Ｃを容易に形成できる。
【００３０】
さらに、被検出部２４３Ｃの表面を被覆する状態、すなわち導電パターン２４３Ｂおよび被検出部２４３Ｃを合成樹脂シート２４３Ａ間に挾持する積層構造にフレキシブルプリント基板２４３を形成している。このため、導電パターン２４３Ｂおよび被検出部２４３Ｃを銅などの導電特性の優れた金属材料にて形成しても、腐食を防止でき、腐食による反射特性の低下を防止でき、ピックアップ装置２４０の良好な位置検出を安定して長期間得られる。
【００３１】
また、制御回路部を搭載する回路基板４１０上に光センサ４２０を配設している。このため、光センサ４２０からピックアップ装置２４０の位置を認識する制御回路部までの配線が容易で、回路基板４１０上に配線パターンを形成するのみでよく、構成の簡略化や小型化が容易に図れるとともに、光センサ４２０の組み付けも回路基板４１０の製造時に合わせて搭載すればよく、製造性の向上も容易に図れる。さらには、移動するピックアップ装置２４０の小型化による、高速移動や急停止などの移動効率の向上や安定した移動が容易に得られる。
【００３２】
〔実施形態の変形〕
なお、本発明は、上述した各実施の形態に限定されるものではなく、本発明の目的を達成できる範囲で以下に示される変形をも含むものである。
【００３３】
すなわち、ディスク状記録媒体を利用するディスク装置１００について例示したが、上述したように、光ディスクＸに限らず、磁気ディスク、光磁気ディスクなどのいずれのディスク状記録媒体、さらには外周面に記録面を有した筒状の記録媒体やテープ状の記録媒体など、いずれの記録媒体を処理する処理装置を対象とすることができる。また、いわゆるスロットインタイプのディスク装置の他、トレイタイプやローラの回転により搬送する構成など、ディスク状記録媒体を搬送する搬送手段の構成がいずれの構成のものでも対象とすることができる。また、読取処理あるいは記録処理の一方のみを処理する構成のものにも適用できる。さらには、ピックアップ２４２を搭載する構成に限らず、各種センサや切削加工処理や塗装処理などの表面処理を実施する表面処理部を搭載する計測装置や表面処理装置など、いずれの構成にも適用できる。
【００３４】
そして、ピックアップ装置２４０の位置認識のための構成として適用したが、例えば回動する台座部２１０の移動を検出するなどに利用してもよい。さらに、ピックアップ装置２４０の位置認識として、光ディスクＸの搬入出時におけるディスク処理部２００の回動時での位置認識のための構成に利用したが、例えば最内周側に移動させて初期化処理のための位置認識に利用する構成としてもよい。
【００３５】
また、導電パターン２４３Ｂとは独立して被検出部２４３Ｃを形成する構成に限らず、導電パターン２４３Ｂの所定の位置を所定の領域の大きさに形成して導電パターン２４３Ｂの一部を被検出部２４３Ｃとしてもよい。このような構成により、フレキシブルプリント基板２４３の小型化が容易に図れる。
【００３６】
さらに、フレキシブルプリント基板２４３として、合成樹脂シート２４３Ａ間に導電パターン２４３Ｂおよび被検出部２４３Ｃを挾持する状態に積層形成したが、例えば外面側のみが被覆された構成としてもよい。このような構成によれば、表面側の腐食による反射特性の低下を防止できるとともに、フレキシブルプリント基板２４３の厚さ寸法を薄くでき、小型化が容易に図れる。さらには、フレキシブルプリント基板２４３の製造性の向上やコストの低減なども容易に図れる。特に、スリムディスクドライブには有効である。
【００３７】
そして、回路基板４１０側に光センサ４２０を設けて説明したが、逆の構成、すなわちピックアップベース２４１やフレキシブルプリント基板２４３に光センサ４２０を配設し、ケース体１１０に設けた回路基板４１０に被検出部２４３Ｃを設けてもよい。なお、フレキシブルプリント基板２４３に設けた場合では、上述したように光センサ４２０を制御回路部と接続するための構成としてフレキシブルプリント基板２４３を利用でき、構成の簡略化が容易に図れる。また、ピックアップベース２４１に光センサ４２０を設ける構成では、光センサ４２０を容易に位置決め固定でき、確実な位置検出ができる。
【００３８】
また、光センサ４２０を利用して位置検出する構成について説明したが、検出部としては、例えば磁気センサを用い、フレキシブルプリント基板２４３に磁性材料を含有した材料にて被検出部２４３Ｃを形成してもよい。このような構成についても同様の効果が得られる。また、磁気を利用する構成では、例えば被検出部２４３Ｃが傾斜する状態にフレキシブルプリント基板２４３がピックアップベース２４１に配設されても検出可能となり、より製造性の向上が容易に図れる。さらには、検出部としては、光や磁気の他、いずれの構成で検出させてもよい。
【００３９】
そして、可撓性を有したフレキシブルプリント基板２４３に限らず、硬質の他のプリント基板を利用してもよい。また、印刷形成する構成に限らず、例えばエッチング処理など、いずれの方法で形成してよい。さらには、光センサ４２０の感度が高く高精度で検出できる場合、導電パターン２４３Ｂの一部を所定の領域に形成することなく、導電パターン２４３Ｂを直接検出することで、位置検出する構成としてもよい。
【００４０】
その他、本発明の実施の際の具体的な構造および手順は、本発明の目的を達成できる範囲で他の構造などに適宜変更できる。
【００４１】
〔実施の形態の効果〕
上述したように、光ディスクＸを情報処理するピックアップ２４２を搭載し移動処理手段２３０にて移動されるピックアップベース２４１に設けたフレキシブルプリント基板２４３に、ピックアップ２４２に電力を供給する導電パターン２４３Ｂの形成時に同材質にて所定の領域で形成した被検出部２４３Ｃを備え、ピックアップベース２４１が移動処理手段２３０により所定の位置に移動された際に、被検出部２４３Ｃを検出する光センサ４２０をケース体１１０に配設している。このため、例えばピックアップ装置２４０に反射テープや反射板１５などの位置検出専用の部材を設ける必要がなく、ピックアップ２４２を動作制御するためのフレキシブルプリント基板２４３を利用でき、簡単な構成で容易に位置検出できる。
【００４２】
また、ピックアップ２４２を動作制御する制御回路部を搭載する回路基板４１０に、導電パターン２４３Ｂの形成時に同材質にて所定の領域で形成した被検出部２４３Ｃを備え、ピックアップベース２４１が移動処理手段２３０により所定の位置に移動された際に、被検出部２４３Ｃを検出する光センサ４２０をピックアップベース２４１あるいはピックアップベース２４１に設けられるフレキシブルプリント基板２４３に配設する。このため、例えばピックアップ装置２４０に反射テープや反射板１５などの位置検出専用の部材を設ける必要がなく、ピックアップ２４２を動作制御するための回路基板４１０を利用でき、簡単な構成で容易に位置検出できる。
【図面の簡単な説明】
【００４３】
【図１】従来技術に係るディスク装置のディスク処理部を示す平面図である。
【図２】本発明における第１の実施の形態に係るディスク装置の概略構成を示す一部を切り欠いた平面図である。
【図３】前記実施の形態におけるディスク処理部を示す底面図である。
【図４】前記実施の形態におけるフレキシブルプリント基板の断面図である。
【図５】前記実施の形態におけるピックアップ装置が最外周位置の直前に位置して光センサが被検出部を検出する状態を示す説明図である。
【図６】前記実施の形態におけるピックアップ装置が最外周位置に位置せず光センサが被検出部を検出できない状態を示す説明図である。
【符号の説明】
【００４４】
１００……処理装置としてのディスク装置
１１０……シャーシとしてのケース体
２３０……移動手段としての移動処理手段
２４１……基台としてのピックアップベース
２４２……処理部としてのピックアップ
２４３……プリント基板であるフレキシブルプリント基板
２４３Ａ…樹脂フィルムである合成樹脂シート
２４３Ｂ…導電パターン
２４３Ｃ…被検出部
４２０……検出部としての光センサ
Ｘ……被処理物としての光ディスク
【図１】
2006164320.tif 000003
【図２】
2006164320.tif 000004
【図３】
2006164320.tif 000005
【図４】
2006164320.tif 000006
【図５】
2006164320.tif 000007
【図６】
2006164320.tif 000008